(57)【要約】【課題】部品単価の上昇を抑制しつつ、広がり、奥行き、意外性を兼ね備えた多彩で迫力ある演出を可能にする。【解決手段】(1)１７個の７セグメント表示器21a~21qを一つを中心にして縦・横・斜めの８方向にリーチラインを形成する様に放射状に配置することによる広がり感、(2)上下左右の周辺表示器を常時は扉状可動体41~44を閉じて覆っておいて特定の演出時に出現させる意外性、(3)中央の表示器21aは前面開閉扉のガラス窓直後までせり出した配置とし、周辺の表示器は奧へ控えた配置とした立体感を与えると共に、(4)ワープ通路33,34及びステージ35を備えることで入賞パターンの多彩さも与え、(5)透明なステージカバー37によって表示器等をステージ近くまで配置しても部品損傷や作動不良を生じさせず、(6)キャッチ部37a,37bにより入賞困難なイメージを払拭する。【選択図】  図３
2008245670.tif 000002
【特許請求の範囲】
【請求項１】
特別図柄の変動表示を実行する表示演出装置と、
該表示演出装置の備えられた表示領域の上部及び左右側部を取り囲む様に配設された大型装飾部品と、
該大型装飾部品の下部に連続して配設され、前記大型装飾部品内に形成されたワープ通路から導出される遊技球を転動させるステージと
を備え、さらに、以下の構成をも備えていることを特徴とする遊技機用センター役物。
（１−１）前記大型装飾部品は、その前面が、前面開閉扉を閉じたときに窓ガラスとの間に遊技球通過可能な隙間を開けない様に構成されていること。
（１−２）前記ステージは、その前面が前記大型装飾部品の前面よりも後方に控え、前記前面開閉扉を閉じたときに前記窓ガラスとの間に遊技球通過可能な隙間を確保できる様に構成されていること。
（１−３）前記表示演出装置は、多数の７セグメント表示器を用いて、表示器の一つをほぼ中央に配置し、当該中央の表示器を中心とする上下、左右及び斜めの各方向に複数個ずつ周辺の表示器を配置したこと。
（１−４）前記中央の表示器と、前記周辺の表示器とにより、前記中央の表示器を要素とする様に、縦、横及び斜めのリーチラインが形成されていること。
（１−５）前記中央の表示器と前記周辺の表示器とは、その表示面が遊技機の奥行き方向にずらされ、前記中央の表示器は前記大型装飾部品の前面近くまで飛び出していること。
（１−６）前記多数の表示器によって構成される複数のリーチラインの内、少なくとも一つのリーチラインを構成する表示器の少なくとも一部を常時は見えない様に覆い隠しておき、所定の状態において見える様に開く２枚の扉状可動体を備えていること。
（１−７）前記ステージの上方に、前記上下方向のリーチラインの下端を構成する７セグメント表示器の下方を仕切って前記大型装飾部品の左右の下部まで伸びるステージカバーを取り付けたこと。
（１−８）前記ステージカバーは透明な合成樹脂によって形成されていること。
（１−９）前記ステージカバーは、奧の縁が下方に湾曲して下がる様に構成されると共に、前の縁が前記開閉扉を閉じたときに前記窓ガラスとの間に遊技球通過可能な隙間を開けない位置まで前方へとせり出した構成とされていること。
【請求項２】
さらに、以下の構成をも備えたことを特徴とする請求項１記載の遊技機用センター役物。
（２−１）前記ステージカバーの前記大型装飾部品との接続部分付近を上方に膨らませて遊技球を受け止めやすく構成したこと。
【発明の詳細な説明】
【技術分野】
【０００１】
本発明は、７セグメント表示器を演出表示装置とした遊技機用センター役物に関する。
【背景技術】
【０００２】
デジタル抽選機能を備え、デジタル抽選の結果を遊技盤に備えられた表示演出装置を用いて演出表示するタイプのパチンコ機において、演出表示効果を高めるための種々の提案がなされている。
【０００３】
例えば、特許文献１，２は、表示演出装置として遊技盤全体に及ぶ様な大型液晶ディスプレイ装置を用いることを提案している（図８参照）。
【０００４】
また、特許文献３〜６は、７セグメント表示を演出表示の重要な要素として採用することを提案している（図９参照）。
【０００５】
さらに、特許文献７，８は、液晶ディスプレイ装置の周辺部に備えた可動体にディスプレイ画面に重なる様な動作を実行させることを提案している（図１０参照）。
【特許文献１】特開２００４−１８１０１１号公報（図１３，１４）
【特許文献２】特開２００６−２３０６４３号公報（図１２）
【特許文献３】特許第２９０４０８０号公報（図３）
【特許文献４】特開２０００−１０７３７９号公報（図２）
【特許文献５】特開２００２−２３３６３２号公報（図１）
【特許文献６】特開２００４−１９４７３６号公報（図３）
【特許文献７】特開２００７−３７７２９号公報（図２）
【特許文献８】特開２００６−５１１５６号公報（図１，２）
【発明の開示】
【発明が解決しようとする課題】
【０００６】
特許文献１，２の技術は、大型液晶ディスプレイ装置による迫力有る演出表示が可能な反面、部品コストの高価格化やリサイクル等の困難性といった問題がある。
【０００７】
特許文献３〜６の技術は、７セグメント表示による部品コスト抑制等を期待できるものの、ワンラインリーチしか演出することができず、演出の迫力に欠けるという問題がある。
【０００８】
特許文献７，８は、可動体の動作による意外性を付与することができるものの、図柄変動演出の表示自体は奥行きがなく平面的なものにしかならない。
【０００９】
また、特許文献１〜６は、いわゆるステージを採用していないので、ステージから始動入賞口へと入賞するハラハラ感・ドキドキ感を遊技者に感じさせることができない。
【００１０】
そこで、本発明者らは、７セグメント表示の利点（部品コスト抑制、レトロ感覚の新鮮さ等）を活かしつつ、迫力と立体感のある演出表示を実行することができ、かつ、ステージの楽しみも備えさせることを目的とすると共に、かかる目的を達成する上で新たに生じ得る課題をも解決することを目的として本発明を完成したのである。
【課題を解決するための手段】
【００１１】
上記目的を達成するためになされた本発明の遊技機用センター役物は、
特別図柄の変動表示を実行する表示演出装置と、
該表示演出装置の備えられた表示領域の上部及び左右側部を取り囲む様に配設された大型装飾部品と、
該大型装飾部品の下部に連続して配設され、前記大型装飾部品内に形成されたワープ通路から導出される遊技球を転動させるステージと
を備え、さらに、以下の構成をも備えていることを特徴とする。
（１−１）前記大型装飾部品は、その前面が、前面開閉扉を閉じたときに窓ガラスとの間に遊技球通過可能な隙間を開けない様に構成されていること。
（１−２）前記ステージは、その前面が前記大型装飾部品の前面よりも後方に控え、前記前面開閉扉を閉じたときに前記窓ガラスとの間に遊技球通過可能な隙間を確保できる様に構成されていること。
（１−３）前記表示演出装置は、多数の７セグメント表示器を用いて、表示器の一つをほぼ中央に配置し、当該中央の表示器を中心とする上下、左右及び斜めの各方向に複数個ずつ周辺の表示器を配置したこと。
（１−４）前記中央の表示器と、前記周辺の表示器とにより、前記中央の表示器を要素とする様に、縦、横及び斜めのリーチラインが形成されていること。
（１−５）前記中央の表示器と前記周辺の表示器とは、その表示面が遊技機の奥行き方向にずらされ、前記中央の表示器は前記大型装飾部品の前面近くまで飛び出していること。
（１−６）前記多数の表示器によって構成される複数のリーチラインの内、少なくとも一つのリーチラインを構成する表示器の少なくとも一部を常時は見えない様に覆い隠しておき、所定の状態において見える様に開く２枚の扉状可動体を備えていること。
（１−７）前記ステージの上方に、前記上下方向のリーチラインの下端を構成する７セグメント表示器の下方を仕切って前記大型装飾部品の左右の下部まで伸びるステージカバーを取り付けたこと。
（１−８）前記ステージカバーは透明な合成樹脂によって形成されていること。
（１−９）前記ステージカバーは、奧の縁が下方に湾曲して下がる様に構成されると共に、前の縁が前記開閉扉を閉じたときに前記窓ガラスとの間に遊技球通過可能な隙間を開けない位置まで前方へとせり出した構成とされていること。
【００１２】
本発明の遊技機用センター役物によれば、特許文献３〜６の様に７セグメント表示器を横一列に並べて配置するのではなく、表示領域内で距離を開けて、上下、左右及び斜めに配置し、リーチラインのマルチライン化を図っている。よって、７セグメント表示器でありながら、縦・横・斜めに広がりを持った表示演出が可能である。また、中央の表示器と周辺の表示器とを奥行き方向にずらした配置としたので、表示演出を現実に立体的なものとすることができる。かかる立体的で広がりのある表示演出は、大画面液晶ディスプレイを用いても実現できないものである。さらに、本発明のセンター役物では、扉状可動体が開くことで初めて出現するリーチラインをも備えているので、意外性の高い演出をも実行することができる。
【００１３】
従って、本発明の遊技機用センター役物は、「広がり」と「奥行き」と「意外性」とを兼ね備えた迫力ある表示演出を、７セグメント表示器と扉状可動体という低価格の部品で実現することができるという特有かつ顕著な効果を発揮する。
【００１４】
本発明の遊技機用センター役物はまた、ワープ通路とステージとを採用することで、７セグメント表示器及び扉状可動体による表示演出だけでなく、始動入賞口への入賞パターンを多彩なものとしたことによる楽しみも備えている。
【００１５】
そして、本発明は、７セグメント表示器により「広がり」、「奥行き」及び「意外性」を兼ね備えた表示演出を可能にした上で、さらに、「ワープ通路」及び「ステージ」による始動入賞口への入賞パターンを多彩なものとしたことによって、新たに生じる問題点に対しても対処したものとなっている。
【００１６】
即ち、大型装飾部品とステージとの間に、透明樹脂製のステージカバーを備えたので、ステージ近くまで７セグメント表示器を配置してあっても、飛び跳ねた遊技球が表示器に衝突して損傷を与えるといった新たな不具合は生じないのである。また、意外性実現のための扉状可動体に遊技球が嵌り込んで動作不能を生じるといった問題も、ステージカバーの存在によって回避される。この結果、本発明の遊技機用センター役物によれば、遊技者の注目を集める始動入賞口及びステージ付近まで７セグメント表示器や扉状可動体を配置することが可能になり、上述した「広がり」、「奥行き」及び「意外性」を存分に発揮させることが可能となる。
【００１７】
なお、遊技球の衝突防止には、特許文献８の様な前面を透明シートで覆う方法もあるが、それでは奥行きのある配置を実現することができない。また、前面を透明シートで覆った場合、透明シートには遊技球が衝突するから、遊技球の衝突による損傷を透明シートが受け、７セグメント表示器の表示を見難いものとしてしまう問題がある。これに対し、本発明の場合、表示領域には遊技球が飛び込み様がないので、かかる問題は生じない。また、ステージカバーに対して遊技球が衝突してステージカバーが傷ついたとしても、遊技者はステージカバーの下から見る分けではないので、見難くなるという問題はない。
【００１８】
ここで、本発明のセンター役物は、さらに、以下の構成をも採用するとよい。
（２−１）前記ステージカバーの前記大型装飾部品との接続部分付近を上方に膨らませて遊技球を受け止めやすく構成したこと。
【００１９】
（２−１）の構成をも採用することで、ステージカバーの膨らみに受け止められた遊技球はステージへと飛び乗り易くなっている。
【００２０】
なお、これらの本発明のセンター役物は、さらに、以下の構成をも採用するとよい。
（３−１）前記各リーチラインが中央の表示器を並びの端とする様に、上、下、左、右、左斜め上、左斜め下、右斜め上及び右斜め下の各方向に複数個の周辺の表示器を配置したこと。
（３−２）前記斜めの各方向のリーチラインを構成する周辺の表示器は中心から離れるほど表示面が奧になる様に配置され、前記上下左右の各方向のリーチラインを構成する周辺の表示器はいずれも表示面が奥行き方向ほぼ同じ面となる様に配置されていること。
（３−３）前記扉状可動体は、前記上下及び左右のリーチラインを構成する周辺の表示器を常時は見えない様に覆い隠しておき、所定の状態において開く構成とされていること。
【００２１】
（３−１）〜（３−３）の構成をも備えることで、「中央と上端との間」、「中央と下端との間」、「中央と左端との間」、「中央と右端との間」、「中央と左斜め上端との間」、「中央と左斜め下端との間」、「中央と右斜め上端との間」及び「中央と右斜め下端との間」と、多数のリーチラインを構成することによる広がりのある表示演出が可能となり、しかも、これらのリーチラインの内、斜め方向のリーチラインは外周側ほど表示器が奧にずらされていることにより、上下左右のリーチラインは扉状可動体に隠されていたものが出現することにより、広がり感、立体感、意外性をさらに強く感じさせるものとなる。
【００２２】
なお、パチンコ機としては、これらのセンター役物を備え、さらに、以下の構成を採用するとよい。
（Ａ）前記遊技機用センター役物が、遊技盤の遊技領域の中心付近に前記中央の表示器が位置する様に取り付けられていること。
（Ｂ）前記遊技機用センター役物のステージの中心位置の直下に始動入賞口を配置すると共に、大当たりの際に前方に向かって開く特別入賞口は、前記センター役物の直上に配置したこと。
【００２３】
かかるパチンコ機は、本発明の遊技機用センター役物を採用することで広い面積を利用した迫力ある表示演出を７セグメント表示器によって実現することができる。そして、センター役物は中心が遊技領域の中心となる様に配置し、センター役物の下方には特別入賞口を配置せずにセンター役物上方に配置することで、本発明の遊技機用センター役物の有する上述した様な広さや奥行きや意外性を利用した迫力ある多彩な演出表示を遺憾なく発揮させるものとなる。そして、遊技者の視線を始動入賞口、リーチに必ず絡む中央の表示器、大当たりにおいて開放する特別入賞口と上下一直線に並べることで、遊技者に対して視線移動を自然に行わせることができる。特に、大当たり信頼度の高い表示演出において扉状可動体を開き動作させて上下方向リーチラインを出現させる様に構成しておけば、遊技者の視線を、始動入賞口から表示領域中央へ、そして大当たりの特別入賞口開放へと、自然に誘導することができる。
【発明の効果】
【００２４】
本発明によれば、７セグメント表示器と扉状可動体とを表示演出に採用することで部品単価の上昇を抑制しつつも、広がりや奥行き、さらには意外性をも兼ね備えた多彩で迫力ある演出を可能にし、かかる効果を達成するために離れて配置することとなった７セグメント表示器等に遊技球が衝突して損傷を与えるといったことをも防止することができる。この結果、レトロ感覚だけでなく、斬新性をも備えた遊技機を、コスト上昇を抑えつつ提供することができるという効果を発揮することができる。
【発明を実施するための最良の形態】
【００２５】
以下、本発明を具体化した実施形態を説明する。実施形態は、図１に示す様なパチンコ機の遊技盤１に設けられる表示演出装置２を備えたセンター役物３に関するものである。
【００２６】
まず、遊技盤１について簡単に説明する。図１に示す様に、遊技盤１の前面には、コーナー飾り４と誘導レール５で囲まれた遊技領域７が形成されている。この遊技領域７の中央には本発明を具体化したセンター役物３が配置されている。このセンター役物３のすぐ下には始動入賞口１１が配置されていて、この始動入賞口１１に遊技球が入賞すると表示演出装置２が特別図柄の変動表示を開始する。そのため、表示演出装置２と始動入賞口１１との間は、遊技者が注目する場所となっている。また、遊技盤１には、これら部品の他に、障害釘１２、案内車１３、アウト口１４、普通入賞口１５等の各種部品が、取り付けられている。なお、本実施形態では、大当たりの際に開放される特別入賞口１６は、センター役物３の真上にあり、遊技領域７の上部中央に配置されている。
【００２７】
本実施形態のセンター役物３は、最初に述べた様に、特別図柄の変動表示を実行する表示演出装置２を備えている。そして、この表示演出装置２の備えられた領域の上部及び左右側部を取り囲む様に配設された大型装飾部品３１と、この大型装飾部品３１の下部に連続して配設され、大型装飾部品３１内に形成されたワープ通路３３，３４から導出される遊技球を転動させるステージ３５とを備えている。
【００２８】
ここで、表示領域の上部及び左右側部を取り囲んでいる大型装飾部品３１は、図３の斜視図から理解される様に、前方に大きく飛び出した部品となっている。この様に前方へ大きく飛び出しているので、前枠（前面の開閉扉）５１を閉じたときにガラス板ユニットの内側のガラス板５２との間には僅かな隙間しかできず、大型装飾部品３１を越えて遊技球が表示演出装置２の備えられた領域内に飛び込むことはない（図６参照）。
【００２９】
一方、ステージ３５は、その機能及び図３の斜視図からも理解される様に、その前面が大型装飾部品３１の前面よりも後方に控え、前枠５１を閉じたときに内側のガラス板５２との間に遊技球通過可能な隙間を確保できる様に構成されている（図６参照）。従って、遊技球は、ステージ３５を越えてセンター役物３の内部へと飛び込み得ることになる。
【００３０】
これに対し、本実施形態のセンター役物３は、図３の斜視図で理解できる様に、ステージ３５の上方に、大型装飾部品３１の左右の下部まで伸びるステージカバー３７が取り付けられている。このステージカバー３７は透明な合成樹脂によって形成されている。また、ステージカバー３７は、奧の縁が下方に湾曲して下がる様に構成されると共に、前の縁が大型装飾部品３１の前面とほぼ同じぐらいまでせり出しており、開閉扉を閉じたときに窓ガラスとの間には遊技球が通過することのできない小さな隙間しか開けない構造となっている。また、ステージカバー３７の大型装飾部品３１との接続部分付近は、上方に円弧状に膨らませた遊技球キャッチ部３７ａ，３７ｂとしてある。
【００３１】
表示演出装置２は、図２に示す様に、１７個の７セグメント表示器２１ａ〜２１ｑを用いて、表示器の一つをほぼ中央に配置し、当該中央の表示器２１ａを中心とする上下、左右及び斜めの各方向に４個ずつ周辺の表示器２１ｂ〜２１ｑを配置したものとして構成されている。より具体的には、図２（Ａ）に示す様に、中央の表示器２１ａを中心として、上方向に表示器２１ｂ，２１ｃ、下方向に表示器２１ｄ，２１ｅ、左方向に表示器２１ｆ，２１ｇ、右方向に表示器２１ｈ，２１ｉ、左斜め上方向に表示器２１ｊ，２１ｋ、右斜め下方向に表示器２１ｌ，２１ｍ、右斜め上方向に表示器２１ｎ，２１ｏ、左斜め下方向に表示器２１ｐ，２１ｑ、といった具合に放射状に多数の表示器が配置されている。
【００３２】
これらの多数の表示器２１ａ〜２１ｑにより、本実施形態では、縦、横、斜めにリーチラインを形成している。より具体的には、中央の表示器２１ａを並びの端とする様に、上リーチライン（２１ａ−２１ｂ−２１ｃ）、下リーチライン（２１ａ−２１ｄ−２１ｅ）、左リーチライン（２１ａ−２１ｆ−２１ｇ）、右リーチライン（２１ａ−２１ｈ−２１ｉ）、左斜め上リーチライン（２１ａ−２１ｊ−２１ｋ）、右斜め下リーチライン（２１ａ−２１ｌ−２１ｍ）、右斜め上リーチライン（２１ａ−２１ｎ−２１ｏ）、左斜め下リーチライン（２１ａ−２１ｐ−２１ｑ）と、表示演出において、最大８本のリーチラインを形成し得る構成となっている。なお、始動入賞口１１への入賞を契機として実施される乱数抽選の結果が大当たりの場合には、いずれかのリーチラインを構成する３個の７セグメント表示器に表示される図柄の内の２個が揃ってリーチ状態となった後に３個全てが同一図柄となる表示演出が実行される。
【００３３】
また、本実施形態においては、各表示器２１ａ〜２１ｑの取付位置が奥行き方向にも変化させられている。図３の斜視図に示す様に、中央の表示器２１ａは、その表示面が大型装飾部品の前面近くまで飛び出した位置となる様に配置されている。そして、この中央の表示器２１ａと共に斜め方向のリーチラインを構成する周辺の表示器２１ｊ〜２１ｑにおいては、リーチラインの最も外側に位置する表示器２１ｋ，２１ｍ，２１ｏ，２１ｑは、表示演出装置２の表示面の一番奥に取り付けられた状態に配置され、リーチラインの真ん中に位置する表示器２１ｊ，２１ｌ，２１ｎ，２１ｐは、中央の表示器２１ａと外側の表示器２１ｋ等の中間的な奥行き位置に取り付けられている。従って、斜め方向の各リーチラインは、中央から外へ向かって奧へと吸い込まれる様に、あるいは、奧から中央へとせり出す様に構成されているのである。
【００３４】
一方、中央の表示器２１ａと共に上下方向のリーチラインを構成する周辺の表示器２１ｂ〜２１ｅ及び左右方向のリーチラインを構成する周辺の表示器２１ｆ〜２１ｉは、いずれも表示演出装置２の表示面の一番奥に取り付けられた状態に配置されている。そして、これら上下及び左右方向のリーチラインを構成する表示器２１ｂ〜２１ｉは、上、下、左及び右の各リーチライン毎に各２枚が配置された扉状可動体４１〜４４によって、常時は見えない様に覆い隠される様に構成されている（図２（Ｂ），図３参照）。なお、扉状可動体４１〜４４は、ソレノイドによって合わせ目を前方へ向ける様な回動動作をすることで開いた状態となり、その逆の動作で閉じる構造となっている。
【００３５】
ワープ通路３３，３４は、図４に示す様に、大型装飾部品３１の左右側部の下端近くに側方に向かって開口されたワープ入口３３ａ，３４ａからステージ３５の左右側端部に開口するワープ出口３３ｂ，３４ｂの間に形成されている。このワープ通路３３，３４を通過した遊技球Ｐは、図５に示す様に、ステージ３５へと導出されて転動する。ステージ３５へは、図５に矢印Ａ〜Ｄで示した方向からも遊技球Ｐが飛び込むことがあるが、ステージカバー３７によって遮られ、表示器２１ａ〜２１ｑや扉状可動体４１〜４４の存在する領域へは飛び込むことがない。なお、矢印Ａ，Ｃの辺りから飛び込んだ遊技球Ｐは、遊技球キャッチ部３７ａ，３７ｂが上方へ膨らんだ構造となっているので、ステージ３５へと受け入れられる確率が高くなっている。よって、ステージ３５による始動入賞口１１へと遊技球Ｐが誘導されることへの期待感を十分に高めることができる。
【００３６】
以上説明した本実施形態のセンター役物３によれば、多数の７セグメント表示器２１ａ〜２１ｑを用いて、縦・横・斜めに広がりを持った表示演出が可能である。また、中央の表示器２１ａと周辺の表示器２１ｂ〜２１ｑとを奥行き方向にずらした配置としたので、表示演出を現実に立体的なものとすることができる。さらに、常時は斜めの４つのリーチラインのみによる演出を行い、扉状可動体４１〜４４が開くことで初めて出現する縦・横のリーチラインをも加えて、最大８ラインのリーチ演出が可能となっている。
備えているので、意外性の高い演出をも実行することができる。
【００３７】
また、本実施形態のセンター役物３は、左右のワープ通路３３，３４とステージ３５とを採用することで、７セグメント表示器２１ａ〜２１ｑ及び扉状可動体４１〜４４による表示演出だけでなく、始動入賞口１１への入賞パターンを多彩なものとした楽しみも備えている。
【００３８】
一方、大型装飾部品３１とステージ３５との間に、透明樹脂製のステージカバー３７を備えたので、ステージ３５近くまで７セグメント表示器２１ｅ，２１ｍ，２１ｑを配置してあっても、飛び跳ねた遊技球Ｐがこれらの表示器２１ｅ，２１ｍ，２１ｑに衝突して損傷を与えるといった新たな不具合は生じない。また、扉状可動体４２に遊技球が嵌り込んで動作不能を生じるといった問題も、ステージカバー３７の存在によって回避される。そして、ステージカバー３７を図５（Ｃ）に示した様な湾曲した形状のものとしたので、図１の如く、ステージカバー３７を透かして表示器２１ｅを視認することができる。即ち、透明なステージカバー３７は、遊技球Ｐの飛び込みを防止すると共に、ステージ３５の直ぐ近くまで表示器２１ｅを配置した演出を可能にしているのである。
【００３９】
ここで、このステージカバー３７を湾曲形状としたことによる見易さを、仮に湾曲形状にしなかった場合と比較してみる。図７に示す様に、遊技者は、縦列の一番下の表示器２１ｅを斜め上方から見る状態で遊技する。従って、本実施形態の様に、ステージカバー３７の直立部分３７ｃの背後に重なる様に表示器２１ｅを配置した場合に、湾曲形状にしない場合には、角３７ｄが邪魔になって見づらい（図７（Ｂ）参照）。これに対し、本実施形態では、直立部分３７ｃと張出部分３７ｅとを角ではなく湾曲部３７ｆによって連続させているので、遊技者が見づらいといった問題を生じない。即ち、本実施形態によれば、ステージカバー３７の直立部分３７ｃの背後のスペースにまで表示器２１ｅを配置することができるという効果を発揮するのである。
【００４０】
よって、本実施形態のセンター役物３は、「広がり」と「奥行き」と「意外性」とを兼ね備えた迫力ある表示演出を、７セグメント表示器２１ａ〜２１ｑと扉状可動体４１〜４４という低価格の部品で実現することができるという特有かつ顕著な効果を発揮するものである。
【００４１】
そして、垂直部３７ｃと張出部３７ｅとを湾曲部３７ｆで連続させたステージカバー３７に、上方に大きく膨らんだ遊技球キャッチ部３７ａ，３７ｂを設けたことで、ステージ３５に向かって跳ね飛んでくる遊技球Ｐをキャッチ部３７ａ，３７ｂが柔らかく受け止め、ステージ３５上へとスムーズに導くこともできている。よって、ワープ通路３３，３４以外からも、遊技球Ｐがステージ３５へと導き入れられる確率を高めることができている。
【００４２】
さらに、本実施形態の遊技盤１は、センター役物３を遊技領域７の中心付近に、全てのリーチに絡む中央の表示器２１ａが位置する様に取り付けられると共に、ステージ３５の中心位置の直下に始動入賞口１１を配置すると共に、大当たりの際に前方に向かって開く特別入賞口１６は、センター役物３の直上に配置した結果、センター役物３を大型で注目し易いものとしている。従って、センター役物３に遊技者を注目させ易く、広い面積を利用した迫力ある表示演出を７セグメント表示器２１ａ〜２１ｑによって実現することができている。また、始動入賞口１１、リーチに必ず絡む中央の表示器２１ａ、大当たりにおいて開放する特別入賞口１６と上下一直線に並べることで、遊技者に対して視線移動を自然に行わせることができる。特に、大当たり信頼度の高い表示演出においては上下の扉状可動体４１，４２を開かせて上下方向リーチラインを出現させる様に構成しておけば、遊技者の視線を、始動入賞口１１からリーチに必ず絡む中央の表示器２１ａのある表示領域の中央へ、そして大当たりによって開放する上部の特別入賞口１６へと、自然に誘導することができる。
【００４３】
この様に、本実施形態によれば、７セグメント表示器２１ａ〜２１ｑと扉状可動体４１〜４４とを表示演出に採用することで部品単価の上昇を抑制しつつも、広がりや奥行き、さらには意外性をも兼ね備えた多彩で迫力ある演出を可能にし、かかる効果を達成するために離れて配置することとなった７セグメント表示器２１ａ〜２１ｑや扉状可動体４１〜４４に遊技球Ｐが衝突して損傷を与えたり動作不良を起こしたりするといった新たな問題をも防止することができる。この結果、レトロ感覚だけでなく、斬新性をも備えた遊技機を、コスト上昇を抑えつつ提供することができる。
【００４４】
なお、本実施形態からは、次の様な発明も抽出することができる。
【００４５】
（１）７セグメント表示器を、中心及び放射状に各方向複数個ずつ配置することにより、上下、左右及び斜めのマルチラインリーチ演出を可能としたパチンコ機。
（２）（１）のパチンコ機において、中心の表示器を全てのリーチに絡ませると共に、上下方向ラインをスーパーリーチ発展時に扉状可動体を開いて出現させることで、始動入賞口辺りに注目していた遊技者にスーパーリーチ演出の発生を確実に伝えることのできるパチンコ機。
（３）（２）のパチンコ機において、全てのリーチに絡ませた中央の表示器を遊技盤中央に位置させ、特別入賞口を上部に設置したことで、遊技盤の面積を最大に利用して広がりのあるリーチ演出を可能にし、しかも、始動入賞口辺りに注目していた遊技者の視線を中央の表示器、上部の特別入賞口へと自然に誘導するパチンコ機。
【００４６】
以上、発明を実施するための最良の形態としての一実施形態を説明したが、本発明は、これに限定されるものではなく、その要旨を逸脱しない範囲内における種々の変更が可能である。
【図面の簡単な説明】
【００４７】
【図１】実施形態のパチンコ機の遊技盤を示す正面図である。
【図２】実施形態のセンター役物を示し、（Ａ）は扉状可動体が全て開いた状態の正面図、（Ｂ）は扉状可動体が全て閉じた状態の正面図である。
【図３】実施形態のセンター役物の斜視図である。
【図４】実施形態のセンター役物下部を示し、（Ａ）は正面図、（Ｂ）はＡ−Ａ断面図、（Ｃ）は左側面図、（Ｄ）はワープ通路を太線で示した左半分の正面図である。
【図５】実施形態におけるセンター役物の要部を示し、（Ａ），（Ｂ）は斜視図、（Ｃ）は断面図である。
【図６】実施形態における大型装飾部品の及びステージの前面位置の関係を示す説明図である。
【図７】実施形態におけるステージカバーの湾曲部の効果を示す説明図である。
【図８】従来技術の説明図である。
【図９】従来技術の説明図である。
【図１０】従来技術の説明図である。
【符号の説明】
【００４８】
１・・・遊技盤
２・・・表示演出装置
３・・・センター役物
４・・・コーナー飾り
５・・・誘導レール
７・・・遊技領域
１１・・・始動入賞口
１２・・・障害釘
１３・・・案内車
１４・・・アウト口
１５・・・普通入賞口
１６・・・特別入賞口
２１ａ〜２１ｑ・・・７セグメント表示器
３１・・・大型装飾部品
３３，３４・・・ワープ通路
３３ａ，３４ａ・・・ワープ入口
３３ｂ，３４ｂ・・・ワープ出口
３５・・・ステージ
３７・・・ステージカバー
３７ａ，３７ｂ・・・遊技球キャッチ部
３７ｃ・・・直立部分
３７ｅ・・・張出部分
３７ｆ・・・湾曲部
４１〜４４・・・扉状可動体
５１・・・前枠
５２・・・ガラス板
Ｐ・・・遊技球
【図１】
2008245670.tif 000003
【図２】
2008245670.tif 000004
【図３】
2008245670.tif 000005
【図４】
2008245670.tif 000006
【図５】
2008245670.tif 000007
【図６】
2008245670.tif 000008
【図７】
2008245670.tif 000009
【図８】
2008245670.tif 000010
【図９】
2008245670.tif 000011
【図１０】
2008245670.tif 000012